(57)【要約】【課題】建屋に床の穴開けなどの大規模工事をすることなく、縦配線路のサポート数を少なくして、建屋の居住者に光ケーブルを短期間にかつ低コストの工事で、敷設することにある。【解決手段】外部通信ケーブル３を各階に設けられた分配器１１に接続する建屋内外部通信伝送路において、機械室３１に配置された外部通信ケーブル３を分岐する主配線盤１０と、各階の昇降路壁３２に設けられた外部通信ケーブル接続コネクタ１４と分配器１１とを同一階において接続する分配器接続ケーブル７と、各外部通信ケーブル接続コネクタ１４と主配線盤１０を接続するために昇降路３０内に配置された階別外部通信ケーブル６とを設ける。【選択図】図１
2007124784.tif 000002
【特許請求の範囲】
【請求項１】
外部通信ケーブルを各階に設けられた分配器に接続する建屋内外部通信伝送路において、
機械室に配置された外部通信ケーブルを分岐する主配線盤と、
各階の昇降路壁に設けられた外部通信ケーブル接続コネクタと前記分配器とを同一階において接続する分配器接続ケーブルと、
各前記外部通信ケーブル接続コネクタと前記主配線盤を接続するために昇降路内に配置された階別外部通信ケーブルと、
を含む建屋内外部通信伝送路。
【請求項２】
外部通信ケーブル接続コネクタは、各階に設けられる呼び出し用操作盤の中に設けられたことを特徴とする請求項１に記載の建屋内外部通信伝送路。
【請求項３】
外部通信ケーブル接続コネクタは、各階の天井裏に接する昇降路壁または天井裏の中に設けられたことを特徴とする請求項１に記載の建屋内外部通信伝送路。
【請求項４】
外部通信ケーブル接続コネクタは、各階の床上と接する昇降路壁または各階の床上に設けられた接続箱の中に設けられたことを特徴とする請求項１に記載の建屋内外部通信伝送路。
【請求項５】
外部通信ケーブル接続コネクタは、各階の上げ床部と接する昇降路壁または上げ床内部に設けられたことを特徴とする請求項１に記載の建屋内外部通信伝送路。
【請求項６】
分配器は各階の昇降路内に設けられたことを特徴とする請求項１に記載の建屋内外部通信伝送路。
【請求項７】
階別外部通信ケーブルは機械室又は昇降路最上部から吊り下げ配置されていることを特徴とする請求項１から６のいずれか１項に記載の建屋内外部通信伝送路。
【請求項８】
外部通信ケーブルを各階に設けられた分配器に接続するとともに、昇降機制御ケーブルを各階に設けられた呼び出し用操作盤に接続する統合信号伝送システムにおいて、
各階の昇降路壁に設けられた昇降機制御ケーブル接続コネクタと、前記呼び出し用操作盤とを同一階において接続する制御盤接続ケーブルと、
前記各昇降機制御ケーブル接続コネクタ間を接続するために昇降路内に設置された昇降機制御渡りケーブルと、
機械室に配置された外部通信ケーブルを分岐する主配線盤と、
各階の昇降路壁に設けられた外部通信ケーブル接続コネクタと前記分配器とを同一階において接続する分配器接続ケーブルと、
各前記外部通信ケーブル接続コネクタと前記主配線盤を接続するために昇降路内に配置された階別外部通信ケーブルと、
を含み、
前記昇降機制御ケーブル接続コネクタと前記外部通信ケーブル接続コネクタは共通ケースに収容されていること、
を特徴とした統合信号伝送システム。
【発明の詳細な説明】
【技術分野】
【０００１】
本発明は、建屋内に設けられる外部との通信伝送路に関する。
【背景技術】
【０００２】
近年、インターネットなどの普及に伴って、高速大容量の通信伝送路は必須の要件となりつつある。また、従来このような大容量通信伝送路が必要なかった中小の事務所ビルあるいは集合住宅などにおいてもその必要性が増してきている。これらの通信伝送路は、ＬＡＮ（Ｌｏｃａｌ  Ａｒｅａ  Ｎｅｔｗｏｒｋ）の利用等を目的として光ケーブルを敷設することによって構成することが多くなされている。
【０００３】
図８に光ケーブルによる通信伝送路網を示す。基幹光ケーブル１０１によって各基幹局１０７が接続され基幹光ネットワークが形成される。各基幹局１０７には基幹分配器１０８が設けられ、基幹光ケーブル１０１を各幹線光ケーブル１０２に分岐する。各幹線光ケーブル１０２は分岐点１０９にて各建物１１４に向かう支線光ケーブル１０３を分岐する。各支線光ケーブル１０３は各建物１１４の主配線盤１１０に接続される。主配線盤１１０からは建屋内光ケーブル１０４によって建物各階の分配器１１１に接続され、各分配器から個別光ケーブル１０６によって各個の端末１１２に接続されている。各個別の住宅１１７に接続する時には、幹線光ケーブル１０２の分岐点１０９から光ドロップケーブル１１６によって接続器１１３に接続され、ここから屋内の個別光ケーブル１０６によって各個の端末１１２に接続される。
【０００４】
上記の基幹光ケーブル１０１、幹線光ケーブル１０２、支線光ケーブル１０３、建屋内光ケーブル１０４は、複数の大容量あるいは中小容量回線であることから、図９（ａ）のように、数十から数百のテープ心線１２１を溝つきスペーサ１２２のスロット１２６に収容し外面を押さえ巻き１２４およびポリエチレンシース１２５で覆ったテープスロット型ケーブル１２０が用いられる。また、個別光ケーブル１０６には図９（ｂ）のような１つのテープ心線１２１の周りをポリエチレンシース１２５で覆ったインドアケーブル１３０が用いられる。テープ心線１２１は石英ガラスでできている非常に脆弱な光ファイバを保護するために、その周囲を紫外線硬化樹脂で覆った心線を複数本並べてさらに紫外線硬化樹脂で覆ったものである。また、光ケーブルの敷設時に光ファイバに張力がかかり破損することを防止するためにテープスロット型ケーブル、インドアケーブルともに鋼線からなるテンションメンバ１２３が埋め込まれている。
【０００５】
光ファイバはその特性上、曲がると伝播特性が劣化したり、破損が生じたりすることから、各ケーブルに最小曲げ半径が規定されている。幹線光ケーブルに用いられる、数百心をまとめた大容量のテープスロット型ケーブルではその最小曲げ半径は３００〜６００ｍｍ、支線光ケーブル１０３、建屋内光ケーブル１０４に用いられる数十心をまとめた中小容量のテープスロット型ケーブルでもその最小曲げ半径は１００〜２００ｍｍで、個別光ケーブル１０６に用いられる単心のインドアケーブルでは１５〜３０ｍｍ程度となっている。このため、建屋内光ケーブル１０４は専用の直線状の縦配線路に設置され、分配器からの個別光ケーブル１０６は各個への曲げ配管の中に設置されている。
【発明の開示】
【発明が解決しようとする課題】
【０００６】
古いビル、あるいは中小の事務所ビルあるいは集合住宅はこのような光ファイバケーブルによる高速大容量の通信伝送路を設置することを考慮した設計となっていないため、上記のような直線状の縦配線路を設置できるようなスペースがなく、光ファイバケーブルによる高速大容量の通信伝送路を敷設できない状況が発生してきている。いくつかの曲がり配線路がある場合には、主配線盤１１０のそばに分配器１１１を配置し、そこから各個の端末まで個別光ケーブル１０６を敷設することが考えられるが、少数のケーブルの場合は可能であっても、数百箇所もの端末があるビルや集合住宅では、このような大規模な個別光ケーブルを設置することは困難で、実質的には光ファイバケーブルによる高速大容量の通信伝送路を敷設することは非常に困難であった。
【０００７】
そこで、このような建物内へ光ケーブルを敷設する場合は、建物の各階の床に穴開けし、建物の縦方向に光ケーブルを敷設する縦配線路を設けていた。そのために、まず各階の床をＸ線による非破壊検査等で検査して、床の中に埋め込まれている電気ケーブルや配管の位置を事前調査し、それらの場所を避けて床に穴開け施工して、その穴に直線状の縦配線管を設置して、配管中に光ケーブルを敷設する方法が行われている。
【０００８】
しかし、建物の各階の床に穴開け施工を行うことは、非破壊検査等による事前調査と床が厚いことによる大規模工事が必要になることから、工期とコストが増大するという問題があった。また、光ファイバケーブルは光ファイバに張力を掛けないように設置することが必要なことから、縦配線路に多くのサポートをとることが必要で、工期とコストが増大するという問題があった。
【０００９】
そこで、本発明の目的は、建屋に床の穴開けなどの大規模工事をすることなく、縦配線路のサポート数を少なくして、建屋の居住者に光ケーブルを短期間にかつ低コストの工事で、敷設することが可能な建屋内外部通信伝送路を提供することにある。
【課題を解決するための手段】
【００１０】
本発明の目的は、外部通信ケーブルを各階に設けられた分配器に接続する建屋内外部通信伝送路において、機械室に配置された外部通信ケーブルを分岐する主配線盤と、各階の昇降路壁に設けられた外部通信ケーブル接続コネクタと分配器とを同一階において接続する分配器接続ケーブルと、各外部通信ケーブル接続コネクタと主配線盤を接続するために昇降路内に配置された階別外部通信ケーブルとを含む建屋内外部通信伝送路によって達成することができる。この、外部通信ケーブル接続コネクタは、各階に設けられる呼び出し用操作盤の中に設けられてもよいし、各階の天井裏に接する昇降路壁または天井裏の中に設けられてもよいし、各階の床上と接する昇降路壁または各階の床上に設けられた接続箱の中に設けてもよいし、各階の上げ床部と接する昇降路壁または上げ床内部に設けてもよい。また、階別外部通信ケーブルは機械室又は昇降路最上部から吊り下げ配置されていてもよい。また、各階の分配器を昇降路内に設けてもよい。
【００１１】
また、本発明の目的は、外部通信ケーブルを各階に設けられた分配器に接続するとともに、昇降機制御ケーブルを各階に設けられた呼び出し用操作盤に接続する統合信号伝送システムにおいて、各階の昇降路壁に設けられた昇降機制御ケーブル接続コネクタと、呼び出し用操作盤とを同一階において接続する制御盤接続ケーブルと、各昇降機制御ケーブル接続コネクタ間を接続するために昇降路内に設置された昇降機制御渡りケーブルと、機械室に配置された外部通信ケーブルを分岐する主配線盤と、各階の昇降路壁に設けられた外部通信ケーブル接続コネクタと分配器とを同一階において接続する分配器接続ケーブルと、各外部通信ケーブル接続コネクタと主配線盤を接続するために昇降路内に配置された階別外部通信ケーブルとを含み、昇降機制御ケーブル接続コネクタと外部通信ケーブル接続コネクタは共通ケースに収容されていることによっても達成することができる。
【発明の効果】
【００１２】
本発明による建屋内外部通信伝送路は、建屋の昇降機の昇降路内に外部通信ケーブルを配置するため、床の非破壊検査等による事前調査や穴開け施工が不要で光ケーブルの敷設が容易になり、建屋内の居住者に外部通信伝送路を短期間にかつ低コストの工事で、敷設することができるという効果を奏する。
【発明を実施するための最良の形態】
【００１３】
以下に図面を用いて本発明に係る実施の形態につき、詳細に説明する。図１から図５は本発明の第１から第５の実施形態の建屋内外部通信伝送路の説明図である。
【実施例１】
【００１４】
図１は、建屋１の中に設置された昇降機２の昇降路３０とその中に配置された建屋内外部通信伝送路を示している。建屋１は、複数の階を有し、その複数の階を連絡するために昇降機２が設置されている。昇降機２は建屋１に設けられた昇降路３０の中を上下に移動するように設置され、昇降路３０の最上部の機械室３１には昇降機を駆動するための巻き上げ機などの駆動機構が設置されている。建屋の各階には昇降機を呼び出すための押しボタンなどが配置された呼び出し用操作盤２２が設けられている。
【００１５】
外部の幹線通信路から分岐した外部通信ケーブル３は建屋１の中に引き込まれ、建屋内の主配線盤１０に接続されている。建屋の各階にはケーブルを各個に分配する分配器１１が設置されている。主配線盤１０と各分配器１１とは、一端に主配線盤側階別外部通信ケーブル接続コネクタ１４ｂが取り付けられた階別外部通信ケーブル６と、一端に分配器側階別外部通信ケーブル接続コネクタ１４ａが取り付けられた分配器接続ケーブル７によって接続されている。図１に示すように、分配器側階別外部通信ケーブル接続コネクタ１４ａと主配線盤側階別外部通信ケーブル接続コネクタ１４ｂとからなる階別外部通信ケーブル接続コネクタ１４は取り付けケース３５に収容されて昇降機の呼び出し用操作盤２２の背面の昇降路壁３２取り付けられている。また、分配器１１は呼び出し用操作盤２２の内部に設置してあってもよい。階別外部通信ケーブル６は建屋上部から昇降路３０の中に吊り下げて配置されている。階別外部通信ケーブル６は、数十心をまとめた中小容量のテープスロット型ケーブルが用いられるため、最小曲げ半径が１００〜２００ｍｍとなるように昇降路３０内に配置されることが必要であるが、本発明の第１の実施形態においては、階別外部通信ケーブル６は、昇降路３０の上部でサポート６３によって吊り下げ配置され、昇降路３０内では曲がり部が少ない配置となっている。また、階別外部通信ケーブル接続コネクタ１４は各階に設けられている呼び出し用操作盤の中に設けられていてもよいし、分配器１１も各階に設けられている呼び出し用操作盤の中に設けられていてもよい。
【００１６】
上記の階別外部通信ケーブル６は、昇降路最上部に位置する機械室３１から昇降路３０の中に落とし込んで敷設していく工法がとられる場合が多い。この場合、図６に示すように、テープスロット型光ファイバケーブルに埋め込まれているテンションメンバ１２３を取り出して吊り下げ用輪を作り、これを機械室天井６２のフック６１にかけて、機械室天井から光ファイバケーブルを吊り下げ、中の光ファイバを損傷しないように敷設工事を進めることができる。また、図７に示すように、機械室のスペースを利用して、円形ドラムにフルラップで光ファイバケーブルを巻きつけて上部から吊り下ろしていく工法もある。この場合は円形ドラムに巻きつけておいて、徐々に昇降路３０の中にケーブルを直線状に敷設していくことから、常に光ファイバケーブルを最小曲げ半径以上に保ちながら敷設することができる。一方、個別接続ケーブル１３は最小曲げ半径は１５〜３０ｍｍ単心のインドアケーブルが用いられるので、分配器１１から既設の電話回線配管などの曲がり配管内に自在に配置される。
【００１７】
本発明の第１の実施形態によると、最小曲げ半径が１００〜２００ｍｍの数十心をまとめた中小容量のテープスロット型ケーブルを床に穴を開けずに配置できることから、床の非破壊検査等による事前調査や穴開け施工が不要で光ケーブルの敷設が容易になり、建屋内の居住者に外部通信伝送路を短期間にかつ低コストの工事で、敷設することができるという効果を奏する。また、階別外部通信ケーブル６は昇降路３０の上端部から吊り下げサポートによって垂直配置されることから、昇降路内部に必要なサポートが少なくなり、現場作業を低減し工事を短期間にすることができるという効果を奏する。更に、ケーブル敷設時に機械室床５０あるいは天井６２を利用して光ファイバケーブルを吊り下ろすことが可能となることから、作業工数が低減できるとともに、敷設中の光ファイバケーブルの損傷を防止することができるという効果を奏する。
【実施例２】
【００１８】
本発明の第２の実施形態について図２を参照しながら説明する。第１の実施形態と同様の部分については同様の符号を用い説明は省略する。
【００１９】
第１の実施形態と同様、主配線盤１０と各分配器１１とは、一端に主配線盤側階別外部通信ケーブル接続コネクタ１４ｂが取り付けられた階別外部通信ケーブル６と、一端に分配器側階別外部通信ケーブル接続コネクタ１４ａが取り付けられた分配器接続ケーブル７によって接続され、階別外部通信ケーブル６は建屋上部から昇降路３０の中に吊り下げて配置されている。分配器側階別外部通信ケーブル接続コネクタ１４ａと主配線盤側階別外部通信ケーブル接続コネクタ１４ｂとからなる階別外部通信ケーブル接続コネクタ１４ａは昇降路３０に、図２に示すように、取り付けケース３５によって床５０と天井５１の間にある天井裏５２に接する昇降路壁３２に固定されている。各階の分配器１１と各個の端末１２の間は個別接続ケーブル１３によって接続されている。各階の分配器１１は各階の部屋の内部に設置してもよいし、天井裏５２に設置してもよい。天井裏５２に分配器１１を設置した場合は、分配器接続ケーブル７、及び個別接続ケーブル１３は天井裏５２に配線することができる。
【００２０】
本発明の第２の実施形態は、第１の実施形態と同様の効果を奏すると共に、空きスペースである天井裏スペースを分配器接続ケーブル７や個別接続ケーブル１３の配線スペースとして利用できることから配線が容易になる上、分配器１１や配線を目立たなくする美観上の効果がある。さらに、第三者の手が届かない場所にこれらの機器を設置することができることから、第三者のいたずらを防止することができる効果を奏する。
【実施例３】
【００２１】
本発明の第３の実施形態について図３を参照しながら説明する。第１、第２の実施形態と同様の部分については同様の符号を用い説明は省略する。
【００２２】
第３の実施形態は、階別外部通信ケーブル接続コネクタ１４は取り付けケース３５に収納されて床５０に接する昇降路の壁に固定されているか、あるいは、床５０の上のポスト５４の上に床板５３を載せて構成された上げ床と接する昇降路壁３２に固定されているか、床５０に設置された接続箱５５の中に固定されている。本実施形態は第１の実施形態と同様の効果を奏するほか、階別外部通信ケーブル接続コネクタ１４が取り付けケース３５に収納されて床５０に接する昇降路の壁に固定されている場合には、分配器接続ケーブル７は床上に敷設されたカーペットの下に配設するアンダーカーペット配線とされ、分配器１１までの配線を目立たなくすることができる効果を奏する。また、配線を床上において処理することができることから、設置工事の作業性が優れ、工事が容易になるという効果を奏する。階別外部通信ケーブル接続コネクタ１４が上げ床と接する昇降路壁３２に固定された場合には、分配器接続ケーブル７は上げ床の中を通すことができること、敷設工事において、配線を床上において処理することができることから、上記と同様、設置工事の作業性が優れ、工事が容易になるという効果を奏する。床上の接続箱５５に接続した場合も上記と同様の効果を奏する。
【実施例４】
【００２３】
本発明の第４の実施形態について図４を参照しながら説明する。第１、第２、第３の実施形態と同様の部分については同様の符号を用い説明は省略する。
【００２４】
本発明の第４の実施形態では、第１の実施形態と同様、主配線盤１０と各分配器１１とは、一端に主配線盤側階別外部通信ケーブル接続コネクタ１４ｂが取り付けられた階別外部通信ケーブル６と、一端に分配器側階別外部通信ケーブル接続コネクタ１４ａが取り付けられた分配器接続ケーブル７によって接続され、階別外部通信ケーブル６は建屋上部から昇降路３０の中に吊り下げて配置されている。図４に示すように、分配器側階別外部通信ケーブル接続コネクタ１４ａと主配線盤側階別外部通信ケーブル接続コネクタ１４ｂとからなる階別外部通信ケーブル接続コネクタ１４は共通ケース３３に収容されて昇降機２の呼び出し用操作盤２２の背面の昇降路壁３２に取り付けられている。また、呼び出し用操作盤２２の中には、呼び出し操作制御盤２３が配置されている。機械室３１の昇降機制御盤２０と呼び出し制御盤２３とは、一端に昇降機制御盤側昇降機制御ケーブル接続コネクタ２６ｂが取り付けられた昇降機制御ケーブル２１と、一端に呼び出し用操作盤側昇降機制御ケーブル接続コネクタ２６ａが取り付けられた制御盤接続ケーブル２４によって接続されている。昇降機制御盤側昇降機制御ケーブル接続コネクタ２６ｂと呼び出し用操作盤側昇降機制御ケーブル接続コネクタ２６ａを有する昇降機制御ケーブル接続コネクタ２６は、共通ケース３３に収容され昇降路壁３２に固定されている。また、呼び出し制御盤２３相互間は、一端に呼び出し用操作盤側昇降機制御ケーブル接続コネクタ２６ａが取り付けられた制御盤接続ケーブル２４と一端に昇降機制御渡りケーブル側昇降機制御ケーブル接続コネクタ２６ｃが取り付けられた昇降機制御渡りケーブル２５によって、昇降路３０の中で接続されている。このように各階の呼び出し制御盤２３は昇降機制御ケーブル２１、昇降機制御渡りケーブル２５、昇降機制御ケーブル接続コネクタ２６、制御盤接続ケーブル２４によって接続され、各階から昇降機２の呼び出しをすることができるようになっている。本発明の第４の実施形態では、階別外部通信ケーブル接続コネクタ１４と昇降機制御ケーブル接続コネクタ２６は共通ケース３３に収容されて、昇降路壁３２に取り付けられている。
【００２５】
本発明の第４の実施形態は、本発明の第１の実施形態の効果に加えて、昇降機の交換、メンテナンスと同時に外部通信伝送路の敷設を行う場合に、階別外部通信ケーブル接続コネクタ１４と昇降機制御ケーブル接続コネクタ２６は共通ケース３３に納められて昇降路壁３２に固定されることから、昇降機制御ケーブル２１と外部通信伝送路の両方の設置を同時に行うことができ、さらに短期間にかつ低コストの工事で、外部通信伝送路を敷設することができるという効果を奏する。
【実施例５】
【００２６】
本発明の第５の実施形態について図５を参照しながら説明する。第１の実施形態と同様の部分については同様の符号を用い説明は省略する。
【００２７】
第１の実施形態と同様、主配線盤１０と各分配器１１とは昇降路３０の中で階別外部通信ケーブル接続コネクタ１４を介して分配器接続ケーブル７と階別外部通信ケーブル６とで接続され、階別外部通信ケーブル６は建屋上部から昇降路３０の中に吊り下げて配置されている。また、分配器１１と室内側の端末１２は昇降路壁３２の壁孔３４を貫通する個別接続ケーブル１３にて接続されている。壁孔３４は利用する場所にもっとも近く、配線が容易な場所から取り出すように複数の孔としてもよい。
【００２８】
このように、昇降路３０の中に分配器１１を配置する場合には、第１の実施形態の効果に加えて、分配器１１を室内に設置するスペースが必要ないので、室内スペースに余裕がない場合でも外部通信伝送路の設置が容易にできること、及び分配器１１を第三者の目に触れないところに配置することができることから、第三者のいたずらを防止することができるという効果を奏する。さらに複数の壁孔３４を設けた場合には、分配器１１から各端末１２へ最短距離で個別接続ケーブル１３の設置を行うことができることから、個別ケーブルの長さを短くできると共に、曲がりを少なくすることによって伝送品質の低下を防止することが容易になるという効果を奏する。
【産業上の利用可能性】
【００２９】
本発明はエレベータなどの人貨用の昇降機の昇降路に限らず、小荷物専用昇降機や、自動車用エレベータなどの昇降路に外部通信伝送路を敷設する場合にも同様に適用することができる。
【図面の簡単な説明】
【００３０】
【図１】本発明の第１の実施形態の建屋内外部通信伝送路の説明図である。
【図２】本発明の第２の実施形態の建屋内外部通信伝送路の説明図である。
【図３】本発明の第３の実施形態の建屋内外部通信伝送路の説明図である。
【図４】本発明の第４の実施形態の建屋内外部通信伝送路の説明図である。
【図５】本発明の第５の実施形態の建屋内外部通信伝送路の説明図である。
【図６】本発明の光ファイバケーブルの敷設方法を示す説明図（１）である。
【図７】本発明の光ファイバケーブルの敷設方法を示す説明図（２）である。
【図８】光ケーブルによる通信伝送路網の概念図である。
【図９】光ファイバケーブルの断面図である。
【符号の説明】
【００３１】
１  建屋、２  昇降機、３  外部通信ケーブル、６  階別外部通信ケーブル、７  分配器接続ケーブル、１０  主配線盤、１１  分配器、１２  端末、１３  個別接続ケーブル、１４  階別外部通信ケーブル接続コネクタ、１４ａ  分配器側階別外部通信ケーブル接続コネクタ、１４ｂ  主配線盤側階別外部通信ケーブル接続コネクタ、２０  昇降機制御盤、２１  昇降機制御ケーブル、２２  呼び出し用操作盤、２３  呼び出し操作制御盤、２４  制御盤接続ケーブル、２５  昇降機制御渡りケーブル、２６  昇降機制御ケーブル接続コネクタ、２６ａ  呼び出し用操作盤側昇降機制御ケーブル接続コネクタ、２６ｂ  昇降機制御盤側昇降機制御ケーブル接続コネクタ、２６ｃ  昇降機制御渡りケーブル側昇降機制御ケーブル接続コネクタ、３０  昇降路、３１  機械室、３２  昇降路壁、３３  共通ケース、３４  壁孔、３５  取り付けケース、５０  床、５１  天井、５２  天井裏、５３  床板、５４  ポスト、５５  接続箱、６１  フック、６３  サポート、６４  ドラム、１０３  支線光ケーブル、１０４  建屋内光ケーブル、１０６  個別光ケーブル、１１０  主配線盤、１１１  分配器、１１２  端末、１１４  建物、１２１  テープ心線、１２２  溝つきスペーサ、１２３  テンションメンバ、１２４  押さえ巻き、１２５  ポリエチレンシース、１２６  スロット、１３０  インドアケーブル。
【図１】
2007124784.tif 000003
【図２】
2007124784.tif 000004
【図３】
2007124784.tif 000005
【図４】
2007124784.tif 000006
【図５】
2007124784.tif 000007
【図６】
2007124784.tif 000008
【図７】
2007124784.tif 000009
【図８】
2007124784.tif 000010
【図９】
2007124784.tif 000011